(57)【特許請求の範囲】
【請求項１】
情報処理装置において、
内蔵する第１の電力供給手段と、前記情報処理装置に着脱可能であり商用交流電源に接続される第２の電力供給手段との少なくとも一方から電力の供給を受ける電気回路と、
前記第２の電力供給手段の前記情報処理装置への接続状態を検出する検出回路と、
前記検出回路が前記第２の電力供給手段の前記情報処理装置への接続を検出したことに基づいて、前記電気回路により実行される動作のうち少なくとも１つの動作を禁止する動作モードである第１のモードを設定する動作モード設定手段と、
前記第１のモードが設定されたことに基づいて、前記電気回路により実行される動作のうち少なくとも１つの動作を禁止する禁止手段と、
前記第１のモードが設定されたことを示す通知手段と
を有することを特徴とする情報処理装置。
【請求項２】
請求項１記載の情報処理装置において、
被写体を撮影する撮影手段を更に有し、
前記電気回路は、前記撮影手段による撮像動作の１つである第１動作を実行する回路を含み、
前記禁止手段は、前記第１動作を禁止する
ことを特徴とする情報処理装置。
【請求項３】
請求項２記載の情報処理装置において、
前記撮影手段は、発光装置を含み、
前記第１動作は、前記発光装置の発光動作である
ことを特徴とする情報処理装置。
【請求項４】
請求項１記載の情報処理装置において、
前記通知手段は、前記第１の動作モードであることを表示する表示手段である
ことを特徴とする情報処理装置。
【請求項５】
請求項４記載の情報処理装置において、
被写体を撮影する撮影手段と、
前記撮像手段により撮像された画像を表示する画像表示手段とを更に有し、
前記表示手段と前記画像表示手段とは、同一の表示装置によって兼用される
ことを特徴とする情報処理装置。
【請求項６】
請求項１記載の情報処理装置において、
前記通知手段は、警告音を発生する警告音発生手段である
ことを特徴とする情報処理装置。
【請求項７】
情報処理装置において、
内蔵する第１の電力供給手段と、前記情報処理装置に着脱可能であり商用交流電源に接続される第２の電力供給手段との少なくとも一方から電力の供給を受ける電気回路と、
前記第２の電力供給手段の前記情報処理装置への接続状態を検出する検出回路と、
前記検出回路が前記第２の電力供給手段の前記情報処理装置への接続を検出したことに基づいて、前記電気回路により実行される動作のうち少なくとも１つの動作を禁止する動作モードである第１のモードを設定する動作モード設定手段と、
前記第１のモードが設定されたことに基づいて、前記電気回路により実行される動作のうち少なくとも１つの動作を禁止する禁止手段と、
前記第１のモードが設定されたことを表示する表示手段と
を有することを特徴とする情報処理装置。
【請求項８】
請求項７記載の情報処理装置において、
被写体を撮影する撮影手段と、
前記撮像手段により撮像された画像を表示する画像表示手段とを更に有し、
前記表示手段と前記画像表示手段とは、同一の表示装置によって兼用される
ことを特徴とする情報処理装置。
【発明の詳細な説明】
【０００１】
【発明の属する技術分野】
本発明は、情報処理装置に関し、特に、その電源としてバッテリとＡＣアダプタを使用する情報処理装置に関する。
【０００２】
【従来の技術】
半導体装置の集積度の向上や実装技術の進歩に伴い、小型でありながら多くの機能を有する情報処理装置が生産可能となってきた。
【０００３】
また、近年では、バッテリの性能が向上したため、小型でありながら大きな容量を有するバッテリが入手可能となってきた。
【０００４】
従って、これらの情報処理装置とバッテリを組み合わせることにより、高機能の情報処理装置の携帯性を更に向上することができる。
【０００５】
【発明が解決しようとする課題】
バッテリの容量は有限である。
【０００６】
そこで、商用電源から電力を得るＡＣアダプタを使用することが考えられる。しかしながら、ＡＣアダプタ使用時は商用電源のコンセントに接続したままで情報処理装置を使用することになるため、情報処理装置の使用範囲が限られる。そのような状態において情報処理装置として不要な機能があった場合は、その機能のために電力を消費するのは電力の無駄である。
【０００７】
本発明は、以上の状況に鑑みてなされたものであり、商用電源を利用する場合に不必要な機能のために無駄な電力を消費することのない情報処理装置を提供することを目的とする。
【０００９】
【課題を解決するための手段】
本願発明の第１の情報処理装置は、内蔵する第１の電力供給手段と、情報処理装置に着脱可能であり商用交流電源に接続される第２の電力供給手段との少なくとも一方から電力の供給を受ける電気回路と、第２の電力供給手段の情報処理装置への接続状態を検出する検出回路と、検出回路が第２の電力供給手段の情報処理装置への接続を検出したことに基づいて、電気回路により実行される動作のうち少なくとも１つの動作を禁止する動作モードである第１のモードを設定する動作モード設定手段と、第１のモードが設定されたことに基づいて、電気回路により実行される動作のうち少なくとも１つの動作を禁止する禁止手段と、第１のモードが設定されたことを示す通知手段とを有することを特徴とする。
本願発明の第１の情報処理装置においては、内蔵する第１の電力供給手段と、情報処理装置に着脱可能であり商用交流電源に接続される第２の電力供給手段との少なくとも一方から電力が供給され、第２の電力供給手段の情報処理装置への接続状態が検出され、第２の電力供給手段の情報処理装置への接続を検出したことに基づいて、電気回路により実行される動作のうち少なくとも１つの動作を禁止する動作モードである第１のモードが設定され、第１のモードが設定されたことに基づいて、電気回路により実行される動作のうち少なくとも１つの動作が禁止され、第１のモードが設定されたことが示される。
被写体を撮影する撮影手段を更に有し、電気回路は、撮影手段による撮像動作の１つである第１動作を実行する回路を含み、禁止手段は、第１動作を禁止することができる。
撮影手段は発光装置を含み、第１動作は発光装置の発光動作であるようにすることができる。
通知手段は第１の動作モードであることを表示する表示手段であるようにすることができる。
被写体を撮影する撮影手段と、撮像手段により撮像された画像を表示する画像表示手段とを更に有し、表示手段と画像表示手段とは、同一の表示装置によって兼用されるようにすることができる。
通知手段は警告音を発生する警告音発生手段であるようにすることができる。
本発明の第２の情報処理装置は、内蔵する第１の電力供給手段と、情報処理装置に着脱可能であり商用交流電源に接続される第２の電力供給手段との少なくとも一方から電力の供給を受ける電気回路と、第２の電力供給手段の情報処理装置への接続状態を検出する検出回路と、検出回路が第２の電力供給手段の情報処理装置への接続を検出したことに基づいて、電気回路により実行される動作のうち少なくとも１つの動作を禁止する動作モードである第１のモードを設定する動作モード設定手段と、第１のモードが設定されたことに基づいて、電気回路により実行される動作のうち少なくとも１つの動作を禁止する禁止手段と、第１のモードが設定されたことを表示する表示手段とを有することを特徴とする。
本発明の第２の情報処理装置においては、内蔵する第１の電力供給手段と、情報処理装置に着脱可能であり商用交流電源に接続される第２の電力供給手段との少なくとも一方から電力が供給され、第２の電力供給手段の情報処理装置への接続状態が検出され、第２の電力供給手段の情報処理装置への接続を検出したことに基づいて、電気回路により実行される動作のうち少なくとも１つの動作を禁止する動作モードである第１のモードが設定され、第１のモードが設定されたことに基づいて、実行される動作のうち少なくとも１つの動作が禁止され、第１のモードが設定されたことが表示される。
【００１０】
【発明の実施の形態】
以下、本発明の実施例を図面を参照して説明する。
【００１１】
図１及び図２は、本発明を適用した電子カメラの一実施例の構成を示す斜視図である。本実施例の電子カメラにおいては、被写体を撮影する場合において、被写体に向けられる面が面Ｘ１とされ、ユーザ側に向けられる面が面Ｘ２とされている。面Ｘ１の上端部には、被写体の撮影範囲の確認に用いられるファインダ２、被写体の光画像を取り込む撮影レンズ３、及び被写体を照明する場合に発光される発光部（フラッシュランプ）４が設けられている。
【００１２】
一方、面Ｘ１に対向する面Ｘ２の上端部（面Ｘ１の、ファインダ２、撮影レンズ３、発光部４が形成されている部分に対向する部分）には、上記ファインダ２、及びこの電子カメラ１に記録されている音声を出力するスピーカ５が設けられている。また、面Ｘ２に形成されているＬＣＤ６および操作キー７（メニューキー７Ａ、実行キー７Ｂ、クリアキー７Ｃ、キャンセルキー７Ｄ、およびスクロールキー７Ｅ）は、ファインダ２、撮影レンズ３、発光部４、及びスピーカ５よりも、鉛直下側に形成されている。ＬＣＤ６の表面上には、後述するペン型指示装置の接触操作により、指示された位置に対応する位置データを出力する、いわゆるタッチタブレット６Ａが形成されている。
【００１３】
このタッチタブレット６Ａは、ガラス、樹脂等の透明な材料によって構成されており、ユーザは、タッチタブレット６Ａの内側に形成されているＬＣＤ６に表示される画像を、タッチタブレット６Ａを介して観察することができる。
【００１４】
操作キー７は、ＬＣＤ６に記録データを再生表示する場合などに操作されるキーであり、以下に示すキーによって構成されている。すなわち、メニューキー７Ａは、ＬＣＤ６上にメニュー画面を表示する場合に操作されるキーである。実行キー７Ｂは、ユーザによって選択された記録情報を再生する場合に操作されるキーである。
【００１５】
クリアキー７Ｃは、記録した情報を削除する場合に操作されるキーである。キャンセルキー７Ｄは、記録情報の再生処理を中断する場合に操作されるキーである。スクロールキー７Ｅは、ＬＣＤ６に記録情報の一覧が表示されている場合において、画面を上下方向にスクロールさせるときに操作されるキーである。
【００１６】
電子カメラ１の上面である面Ｚには、音声を集音するマイクロホン８、及び図示せぬイヤホンが接続されるイヤホンジャック９が設けられている。
【００１７】
左側面（面Ｙ１）には、被写体を撮像するときに操作されるレリーズスイッチ１０、電源スイッチ１１、および、ＡＣアダプタを接続するためのＡＣアダプタジャック１５が設けられている。
【００１８】
一方、面Ｙ１に対向する面Ｙ２（右側面）には、音声を録音するときに操作される録音スイッチ１２と、撮影時の連写モードを切り換えるときに操作される連写モード切り換えスイッチ１３が設けられている。なお、録音スイッチ１２は、面Ｙ１のレリーズスイッチ１０とほぼ同じ高さに形成されており、左右どちらの手で持っても、違和感のないように構成されている。
【００１９】
なお、録音スイッチ１２とレリーズスイッチ１０の高さを、あえて異ならせることにより、一方のスイッチを押す場合に、この押圧力によるモーメントを打ち消すために反対側の側面を指で保持したとき、誤ってこの反対側の側面に設けられたスイッチが押されてしまわないようにしてもよい。
【００２０】
上記連写モード切り換えスイッチ１３は、ユーザがレリーズスイッチ１０を押して被写体を撮影するとき、被写体を１コマだけ撮影するのか、または、所定の複数コマ撮影するのかを設定する場合に用いられる。例えば、連写モード切り換えスイッチ１３の指針が「Ｓ」と印刷された位置に切り換えられている（すなわち、Ｓモードに切り換えられている）場合において、レリーズスイッチ１０が押されると、１コマだけ撮影が行われるようになされている。
【００２１】
また、連写モード切り換えスイッチ１３の指針が「Ｌ」と印刷された位置に切り換えられている（すなわち、Ｌモードに切り換えられている）場合において、レリーズスイッチ１０が押されると、レリーズスイッチ１０の押されている期間中、１秒間に８コマの撮影が行われるようになされている（すなわち、低速連写モードになる）。
【００２２】
さらに、連写モード切り換えスイッチ１３の指針が「Ｈ」と印刷された位置に切り換えられている（すなわち、Ｈモードに切り換えられている）場合において、レリーズスイッチ１０が押されると、レリーズスイッチ１０の押されている期間中、１秒間に３０コマの撮影が行われるようになされている（すなわち、高速連写モードになる）。
【００２３】
次に、電子カメラ１の内部の構成について説明する。図３は、図１及び図２に示す電子カメラの内部の構成例を示す斜視図である。ＣＣＤ２０は、撮影レンズ３の後段（面Ｘ２側）に設けられており、撮影レンズ３を介して結像する被写体の光画像を電気信号に光電変換するようになされている。
【００２４】
ＬＣＤ６の鉛直下側には、円柱形状の４本のバッテリ（単３型乾電池）２１が縦に並べられており、このバッテリ２１が発生する電力が装置の各部に供給される。また、発光部４を発光させるための電荷を蓄積しているコンデンサ２２は、バッテリ２１と並べて配置されている。
【００２５】
回路基板２３には、この電子カメラ１の各部を制御する種々の制御回路が形成されている。また、回路基板２３と、ＬＣＤ６及びバッテリ２１の間には、挿抜可能なメモリカード２４が設けられており、この電子カメラ１に入力される各種の情報が、メモリカード２４の予め設定されている領域に記録される。
【００２６】
なお、本実施例においては、メモリカード２４は挿抜可能とされているが、回路基板２３上にメモリを設け、そのメモリに各種情報を記録するようにしてもよい。また、メモリ（メモリカード２４）に記録されている各種情報を、図示せぬインタフェースを介して外部のパーソナルコンピュータに出力することができるようにしてもよい。
【００２７】
次に、本実施例の電子カメラ１の内部の電気的構成を、図４のブロック図を参照して説明する。複数の画素を備えているＣＣＤ２０は、各画素に結像した光画像を画像信号（電気信号）に光電変換するようになされている。ＣＣＤ駆動部３９は、ＤＳＰ３３に制御され、ＣＣＤ２０を駆動するようになされている。
【００２８】
画像処理部３１は、ＣＣＤ２０が光電変換した画像信号を所定のタイミングで相関二重サンプリングすると共に、オートゲインコントロールにより、サンプリングされた画像信号の信号値が最適となるよう制御する。アナログ／ディジタル変換回路（以下、Ａ／Ｄ変換回路という）３２は、画像処理部３１でサンプリングした画像信号をディジタル化してディジタルシグナルプロセッサ（以下、ＤＳＰという）３３に供給するようになされている。
【００２９】
ＤＳＰ３３は、ディジタル化された画像信号に後述する所定の処理を施し、圧縮伸長部３４に供給する。圧縮伸長部３４は、ＤＳＰ３３から供給された画像信号を圧縮してＣＰＵ３６に出力するようになされている。ＣＰＵ３６は、ディジタル化及び圧縮処理が施された画像信号（以下、単に撮影画像データという）を、メモリカード２４の所定の領域（撮影画像記録領域）に記憶させるようになされている。
【００３０】
また、ＣＰＵ３６は、図示せぬ時計回路を内蔵しており、撮影した日時の情報を画像データのヘッダ情報として、メモリカード２４の撮影画像記録領域に記録するようになされている（すなわち、メモリカード２４の撮影画像記録領域に記録される撮影画像データには、撮影日時のデータが付随している）。
【００３１】
マイクロホン８は、音声を入力し（音声を集音し）、対応する電気信号に変換して音声ＩＣ（Integrated Ciruit）３８に供給する。音声ＩＣ３８は、入力された音声信号をＡ／Ｄ変換するとともに、ＡＤＰＣＭ（Adaptive Differential Pulse Code Modulation）による圧縮処理を施し、ＣＰＵ制御バスを介してＣＰＵ３６に供給する。
【００３２】
ＣＰＵ３６は、ディジタル化されて圧縮された音声データをＣＰＵ制御バスを介してメモリカード２４の所定の領域（音声記録領域）に記録するようになされている。また、このとき、メモリカード２４の音声記録領域には、録音日時のデータが音声データのヘッダ情報として記録されるようになされている。
【００３３】
ユーザの操作するペン型指示装置（図示せず）によってタッチタブレット６Ａの所定の位置が押圧されると、ＣＰＵ３６は、タッチタブレット６Ａの押圧された位置のＸ−Ｙ座標を読み取り、その座標データ（後述する線画情報）をバッファメモリ３５に蓄積するようになされている。また、ＣＰＵ３６は、バッファメモリ３５に蓄積された線画情報を、線画情報入力日時のヘッダ情報とともに、メモリカード２４の線画情報記録領域に記録するようになされている。
【００３４】
ＣＰＵ３６には、フレームメモリ４０を介してＬＣＤ６が接続されており、画像の表示が可能とされている。但し、圧縮処理が施された撮影画像データは、一旦、圧縮伸長部３４に入力され、そこで、伸長されてからフレームメモリ４０に供給されるようになされている。
【００３５】
更に、メモリカード２４から出力された音声データは、音声ＩＣ３８によりディジタル／アナログ変換（以下、Ｄ／Ａ変換という）が施され、アナログ信号に変換された後、スピーカ５に供給され、音声として出力されるようになされている。
【００３６】
フラッシュランプ駆動部４１は、ＣＰＵ３６によって制御され、発光部４に内蔵されているフラッシュランプ４２を駆動するようになされている。また、赤目軽減ランプ駆動部４３は、同様に、ＣＰＵ３６によって制御され、発光部４に内蔵されている赤目軽減ランプ４４を駆動するようになされている。なお、この赤目軽減ランプ４４は、フラッシュランプ４２が点灯される直前に発光されるようになされており、これにより被写体となる人物の瞳孔が閉じられるので、撮影された画像中の人物の目が赤くなる、いわゆる赤目を軽減することができる。
【００３７】
なお、本実施例の電源部については後述する。
【００３８】
次に、本実施例の電子カメラ１の各種動作について説明する。
【００３９】
まず、本装置の音声情報の入出力処理（但し、音声情報のみの入出力処理）について説明する。
【００４０】
電源スイッチ１１が操作されることにより電子カメラ１に電源が投入された後、面Ｙ２に設けられている録音スイッチ１２が押されると、音声の録音処理（音声情報の入力処理）が開始される。音声情報はマイクロホン８を介して入力され、音声ＩＣ３８によりＡ／Ｄ変換と圧縮処理が施された後、ＣＰＵ３６に供給される。
【００４１】
ＣＰＵ３６に供給された音声データは、メモリカード２４に供給され、音声記録領域に記録される。このとき、メモリカード２４の音声記録領域には、録音日時のデータが、圧縮された音声データのヘッダ情報として記録される。このような動作が、録音スイッチ１２を押圧している期間中、連続して行われる。
【００４２】
なお、この場合における音声は、ＡＤＰＣＭ方式で圧縮されるようにしたが、他の圧縮方式を用いるようにしてもよい。
【００４３】
次に、本装置による被写体の撮影時の動作について説明する。
【００４４】
第１に、面Ｙ２に設けられている連写モード切り換えスイッチ１３が、Ｓモード（１コマだけ撮影を行うモード）に切り換えられている場合について説明する。最初に、面Ｙ１に設けられている電源スイッチ１１をユーザが操作することにより、電子カメラ１に電源を投入する。ファインダ２で被写体を確認し、面Ｙ１に設けられているレリーズスイッチ１０を押すと、被写体の撮影処理が開始される。
【００４５】
ファインダ２で観察される被写体の光画像が撮影レンズ３によって集光され、複数の画素を備えるＣＣＤ２０に結像する。ＣＣＤ２０に結像した被写体の光画像は、各画素で画像信号に光電変換され、画像処理部３１によってサンプリングされる。画像処理部３１によってサンプリングされた画像信号は、Ａ／Ｄ変換回路３２に供給され、そこでディジタル化されてＤＳＰ３３に出力される。
【００４６】
ＤＳＰ３３は、ＲＧＢ（Red Green Blue）信号から色差信号を生成する処理を行うとともに、非線形処理であるγ処理を施す。圧縮伸長部３４は、ＤＳＰ３３から供給された画像データを、離散的コサイン変換、量子化及びハフマン符号化を組み合わせたＪＰＥＧ（Joint Photografic Experts Group）方式に従って圧縮し、ＣＰＵ３６に出力する。ＣＰＵ３６は、ディジタル化及び圧縮処理された撮影画像データを、ＣＰＵ制御バスを介して、メモリカード２４の撮影画像記録領域に記録させる。このとき、メモリカード２４の撮影画像記録領域には、撮影日時のデータが、撮影画像データのヘッダ情報として記録される。
【００４７】
なお、連写モード切り換えスイッチ１３がＳモードに切り換えられている場合においては、１コマの撮影だけが行われ、レリーズスイッチ１０が継続して押され続けても、それ以降の撮影は行われず、ＬＣＤ６上に撮影された画像が表示される。
【００４８】
第２に、連写モード切り換えスイッチ１３がＬモード（１秒間に８コマの連写を行うモード）に切り換えられている場合について説明する。電源スイッチ１１を操作することにより、電子カメラ１に電源を投入し、面Ｙ１に設けられているレリーズスイッチ１０を押すと、被写体の撮影処理が開始される。
【００４９】
ファインダ２で観察される被写体の光画像が撮影レンズ３によって集光され、複数の画素を備えるＣＣＤ２０に結像する。ＣＣＤ２０に結像した被写体の光画像は画像信号に光電変換され、画像処理部３１によって１秒間に８回の割合でサンプリングされる。また、このとき、画像処理部３１は、ＣＣＤ２０の全画素のうち４分の１の画素をサンプリングする。
【００５０】
すなわち、画像処理部３１は、マトリクス状に配列されているＣＣＤ２０の画素を、図５に示すように、２×２画素（４つの画素）の領域に分割し、各領域の所定の位置に配置されている１画素の画像信号をサンプリングし、残りの３画素を間引く。
【００５１】
例えば、第１回目のサンプリング時（１コマ目）においては、各基本単位の左上の画素ａがサンプリングされ、その他の画素ｂ，ｃ，ｄが間引かれる。第２回目のサンプリング時（２コマ目）においては、各基本単位の右上の画素ｂがサンプリングされ、その他の画素ａ，ｃ，ｄが間引かれる。以下、第３回目、第４回目のサンプリング時においては、左下の画素ｃ、右下の画素ｄが、それぞれ、サンプリングされ、その他の画素が間引かれる。つまり、各画素は４回に１回だけサンプリングされる。
【００５２】
画像処理部３１によってサンプリングされた画像信号（ＣＣＤ２０の全画素中の４分の１の画素の画像信号）は、Ａ／Ｄ変換回路３２に供給され、そこでディジタル化されてＤＳＰ３３に出力される。
【００５３】
ＤＳＰ３３は、ディジタル化された画像信号に対して前述した処理を施し、圧縮伸長部３４に出力する。圧縮伸長部３４は、画像信号に対してＪＰＥＧ方式に基づく圧縮処理を施し、ＣＰＵ３６に供給する。ＣＰＵ３６は、ディジタル化及び圧縮処理された画像データを、ＣＰＵ制御バスを介して、メモリカード２４の撮影画像記録領域に記録する。このとき、メモリカード２４の撮影画像記録領域には、撮影日時のデータが、撮影画像データのヘッダ情報として記録される。
【００５４】
第３に、連写モード切り換えスイッチ１３がＨモード（１秒間に３０コマの連写を行うモード）に切り換えられている場合について説明する。電源スイッチ１１を操作することにより、電子カメラ１の電源をＯＮの状態にし、面Ｙ１に設けられているレリーズスイッチ１０を押すと、被写体の撮影処理が開始される。
【００５５】
ファインダ２で観察される被写体の光画像が撮影レンズ３によって集光され、ＣＣＤ２０に結像する。複数の画素を備えるＣＣＤ２０に結像した被写体の光画像は、各画素で画像信号に光電変換され、画像処理部３１によって１秒間に３０回の割合でサンプリングされる。また、このとき、画像処理部３１は、ＣＣＤ２０の全画素のうち９分の１の画素をサンプリングする。
【００５６】
すなわち、画像処理部３１は、マトリクス状に配列されているＣＣＤ２０の画素を、図６に示すように、３×３画素を１つとする領域に分割し、その１つの領域から、所定の位置に配置されている１画素の画像電気信号を、１秒間に３０回の割合でサンプリングし、残りの８画素を間引く。
【００５７】
例えば、第１回目のサンプリング時（１コマ目）においては、各領域の左上の画素ａがサンプリングされ、その他の画素ｂ乃至ｉが間引かれる。第２回目のサンプリング時（２コマ目）においては、画素ａの右側に配置されている画素ｂがサンプリングされ、その他の画素ａ，ｃ乃至ｉが間引かれる。以下、第３回目以降のサンプリング時においては、画素ｃ、画素ｄ・・・が、それぞれ、サンプリングされ、その他の画素が間引かれる。つまり、９コマ毎に各画素がサンプリングされる。
【００５８】
画像処理部３１によってサンプリングされた画像信号（ＣＣＤ２０の全画素中の９分の１の画素の画像信号）は、Ａ／Ｄ変換回路３２に供給され、そこでディジタル化されてＤＳＰ３３に出力される。
【００５９】
ＤＳＰ３３は、ディジタル化された画像信号に前述の処理を施し、圧縮伸長部３４に供給する。圧縮伸長部３４では、ＪＰＥＧ方式に従って画像信号に圧縮処理を施し、ＣＰＵ３６に出力する。
【００６０】
ＣＰＵ３６は、ディジタル化及び圧縮処理された撮影画像データに撮影日時のヘッダ情報を付加して、メモリカード２４の撮影画像記録領域に記録する。
【００６１】
次に、タッチタブレット６Ａから２次元の線画情報（ペン入力情報）を入力する場合の動作について説明する。タッチタブレット６Ａが図示せぬペン型指示装置のペン先で押圧されると、接触した箇所のＸ−Ｙ座標がＣＰＵ３６に供給される。このＸ−Ｙ座標は、バッファメモリ３５に蓄積されるとともに、フレームメモリ４０の内部の上記Ｘ−Ｙ座標の各点に対応した箇所にデータが書き込まれ、ＬＣＤ６上に表示される。
【００６２】
上述したように、ＬＣＤ６の表面上に形成されているタッチタブレット６Ａは、透明部材によって構成されているので、ユーザは、ＬＣＤ６上に表示される点（ペン型指示装置のペン先で押圧された位置の点）を観察することができ、あたかもＬＣＤ６上に直接ペン入力をしたかのように感じることができる。また、ペン型指示部材をタッチタブレット６Ａ上で移動させると、ＬＣＤ６上には、ペン型指示装置の移動に伴う線が表示される。さらに、ペン型指示装置をタッチタブレット６Ａ上で断続的に移動させると、ＬＣＤ６上には、ペン型指示装置の移動に伴う破線が表示される。以上のようにして、ユーザは、タッチタブレット６Ａ（ＬＣＤ６）から所望の文字、図形等の線画情報を入力することができる。
【００６３】
また、ＬＣＤ６上に撮影画像が表示されている場合において、ペン型指示装置によって線画情報が入力されると、この線画情報が、撮影画像情報とともに、フレームメモリ４０で合成され、ＬＣＤ６上に同時に表示される。
【００６４】
なお、ユーザは、図示せぬ色選択スイッチを操作することによって、ＬＣＤ６上に表示される線画の色を、黒、白、赤、青等の色から選択することができる。
【００６５】
ペン型指示装置によるタッチタブレット６Ａへの線画情報の入力後、操作キー７の実行キー７Ｂが押されると、バッファメモリ３５に蓄積されている線画情報が、入力日時のヘッダ情報とともにＣＰＵ制御バスを介してメモリカード２４に供給され、線画情報記録領域に記録される。
【００６６】
なお、メモリカード２４に記録される線画情報は、圧縮処理の施された情報である。タッチタブレット６Ａに入力された線画情報は空間周波数成分の高い情報を多く含んでいるので、撮影画像の圧縮に用いられる上記ＪＰＥＧ方式によって圧縮処理を行うと、圧縮効率が悪く、情報量を削減できないので、圧縮及び伸長に必要な時間が長くなってしまう。さらに、ＪＰＥＧ方式による圧縮は、非可逆圧縮であるので、情報量の少ない線画情報の圧縮には適していない（伸長してＬＣＤ６上に表示した場合、情報の欠落に伴うギャザ、にじみが際だってしまうため）。
【００６７】
そこで、本実施例においては、ファックス等において用いられるランレングス法によって、線画情報を圧縮するようにしている。ランレングス法とは、線画画面を水平方向に走査し、黒、白、赤、青等の各色の情報（点）の継続する長さ、及び無情報（ペン入力のない部分）の継続する長さを符号化することにより、線画情報を圧縮する方法である。
【００６８】
このランレングス法を用いることにより、線画情報を有効に圧縮することができ、また、圧縮された線画情報を伸長した場合においても、情報の欠落を抑制することが可能になる。なお、線画情報は、その情報量が比較的少ない場合には、圧縮しないようにすることもできる。
【００６９】
また、上述したように、ＬＣＤ６上に撮影画像が表示されている場合において、ペン入力を行うと、撮影画像データとペン入力の線画情報がフレームメモリ４０で合成され、撮影画像と線画の合成画像がＬＣＤ６上に表示される。その一方で、メモリカード２４においては、撮影画像データは、撮影画像記録領域に記録され、線画情報は、線画情報記録領域に記録される。このように、２つの情報が、各々異なる領域に記録されるので、ユーザは、撮影画像と線画の合成画像から、いずれか一方の画像（例えば線画）を削除することができ、さらに、各々の画像情報を個別の圧縮方法で圧縮することもできる。
【００７０】
メモリカード２４の音声記録領域、撮影画像記録領域、または線画情報記録領域にデータを記録した場合、図７に示すように、ＬＣＤ６に所定の表示が行われる。図７に示す表示例においては、情報を記録した時点の年月日（記録年月日）（この場合、１９９５年８月２５日）が画面の下端部に表示され、その記録年月日に記録された情報の記録時刻が画面の最も左側に表示されている。
【００７１】
記録時刻の右隣には、サムネイル画像が表示されている。このサムネイル画像は、メモリカード２４に記録された撮影画像データの各画像データのビットマップデータを間引いて（縮小して）作成されたものである。この表示のある情報は、撮影画像情報を含む情報である。つまり、「１０時１６分」と「１０時２１分」に記録（入力）された情報には、撮影画像情報が含まれており、「１０時０５分」、「１０時２８分」、「１０時５４分」、「１３時１０分」に記録された情報には、画像情報が含まれていない。
【００７２】
また、メモ記号「＊」は、線画情報として所定のメモが記録されていることを表している。
【００７３】
サムネイル画像の表示領域の右側には、音声情報バーが表示され、録音時間の長さに対応する長さのバー（線）が表示される（音声情報が入力されていない場合は、表示されない）。
【００７４】
ユーザは、図７に示すＬＣＤ６の所望の情報の表示ラインのいずれかの部分を、ペン型指示装置のペン先で押圧して再生する情報を選択指定し、図２に示す実行キー７Ｂをペン型指示装置のペン先で押圧することにより、選択した情報を再生する。
【００７５】
例えば、図７に示す「１０時０５分」の表示されているラインがペン型指示装置によって押圧されると、ＣＰＵ３６は、選択された録音日時（１０時０５分）に対応する音声データをメモリカード２４から読み出し、音声ＩＣ３８に供給する。音声ＩＣ３８は、音声データ（圧縮されている音声データ）に伸長処理を施し、更にＤ／Ａ変換を施してアナログ信号に変換してスピーカ５に供給する。スピーカ５は、供給されたアナログ信号を音声に変換し、出力する。なお、イヤホンジャック９に図示せぬイヤホンが接続されている場合においては、スピーカ５からは音声が再生されず、図示せぬイヤホンにより音声が再生される。
【００７６】
メモリカード２４に記録した撮影画像データを再生する場合、ユーザは、所望のサムネイル画像をペン型指示装置のペン先で押圧することにより、その情報を選択し、続いて、実行キー７Ｂを押すことにより、選択した情報を再生させる。
【００７７】
ＣＰＵ３６は、選択された撮影日時に対応する撮影画像データをメモリカード２４から読み出し、圧縮伸長部３４に供給する。圧縮伸長部３４に供給された撮影画像データ（圧縮されている撮影画像データ）はそこで伸長され、ＣＰＵ３６に再び出力される。ＣＰＵ３６は、この撮影画像データをビットマップデータとしてフレームメモリ４０に一旦蓄積させた後、ＬＣＤ６に表示させる。
【００７８】
Ｓモードで撮影された画像は、ＬＣＤ６上に、静止画像として表示される。この静止画像は、ＣＣＤ２０の全ての画素の画像信号を再生したものであることはいうまでもない。
【００７９】
Ｌモードで撮影された画像は、ＬＣＤ６上において、１秒間に８コマの割合で連続して表示される。このとき、各コマに表示される画素数は、ＣＣＤ２０の全画素数の４分の１である。
【００８０】
人間の視覚は、静止画像の解像度の劣化に対しては敏感であるため、静止画像の画素を間引くと、ユーザはこれを容易に感知してしまう。しかしながら、１秒間に８コマの画像が再生されるＬモードでは、各コマの画素数はＣＣＤ２０の画素数の４分の１になるが、前述のように１秒間に８コマの画像が再生されるので、単位時間当たりの情報量は、静止画像の場合に比べて２倍になる。
【００８１】
すなわち、Ｓモードで撮影された画像の１コマの画素数を１とすると、Ｌモードで撮影された画像の１コマの画素数は１／４となる。Ｓモードで撮影された画像（静止画像）がＬＣＤ６に表示された場合、１秒間に人間の目に入る情報量は１（＝（画素数１）×（コマ数１））となる。一方、Ｌモードで撮影された画像がＬＣＤ６に表示された場合、１秒間に人間の目に入る情報量は２（＝（画素数１／４）×（コマ数８））となる（すなわち、人間の目には、静止画像の２倍の情報が入る）。従って、１コマ中の画素の数を４分の１にした場合でも、再生時において、ユーザは、画質の劣化をさほど気にしない。
【００８２】
さらに、本実施例においては、各コマ毎に異なる画素をサンプリングし、そのサンプリングした画素をＬＣＤ６に表示するようにしているので、人間の目に残像効果が起こり、１コマ当たり４分の３画素を間引いたとしても、ユーザは、画質の劣化をさほど気にすることなく、ＬＣＤ６に表示されるＬモードで撮影された画像を観察することができる。
【００８３】
また、Ｈモードで撮影された画像は、ＬＣＤ６上において、１秒間に３０コマの割合で連続して表示される。このとき、各コマに表示される画素数は、ＣＣＤ２０の全画素数の９分の１であるが、Ｌモードの場合と同様の理由で、ユーザは、画質の劣化をさほど気にすることなくＬＣＤ６に表示されるＨモードで撮影された画像を観察することができる。
【００８４】
本実施例においては、Ｌモード及びＨモードで被写体を撮像する場合、画像処理部３１が、再生時における画質の劣化が気にならない程度にＣＣＤ２０の画素を間引くようにしているので、ＤＳＰ３３と圧縮伸長処理部３４の負荷を低減することができ、これらを、低速度、低電力で作動させることができる。また、このことにより、装置の低コスト化及び低消費電力化が可能になる。
【００８５】
次に、本実施例の電源部について説明する。
【００８６】
図８は、本実施例の電源部の詳細を示す回路図である。この図において、バッテリ接続端子６０，６１は、図３に示すバッテリのプラス極とマイナス極にそれぞれ接続されている。また、ＡＣアダプタ接続端子６２，６３は、図１に示すＡＣアダプタジャック１５に内蔵されており、図示せぬＡＣアダプタが接続された場合に、これらの端子を介して電子カメラ１に電力が供給される。
【００８７】
スイッチ６４は、ＡＣアダプタが接続されるた場合にＯＦＦの状態になるメカニカルスイッチであり、ＡＣアダプタからバッテリ２１に電流が流れることを防止する。コンデンサ６５は、ＡＣアダプタから流入する高周波成分を除去するようになされている。また、ダイオード６６は、ＡＣアダプタから電力が供給されていない場合は逆バイアス状態になり、アノード側の端子が接地電圧（０Ｖ）となる。その結果、電源判別信号は“０”の状態となる。
【００８８】
ダイオード６７は、ツェナーダイオードであり、商用電源に含まれているインパルス状のノイズ等を除去するようになされている。また、コンデンサ６８は電解コンデンサであり、電源電圧に含まれているリップルを平滑化するようになされている。
【００８９】
コンデンサ６８のプラス端子からは、装置の各部に対して電力が供給される。また、コンデンサ６８のマイナス端子は接地されており、この端子の電圧がグランドレベル（ＧＮＤ）とされる。
【００９０】
更に、ダイオード６６のアノード端子は、ＣＰＵ３６の入力ポートに接続されている。ＣＰＵ３６は、この端子の電圧を電源判別信号として、電源の供給状況を判定する。
【００９１】
図９は、電源判別信号とＡＣアダプタの装着状態の関係を示す図である。この図に示すように、ＡＣアダプタが装着されていない場合（ＡＣアダプタから電力が供給されていない場合）、電源判別信号は“０”の状態となる。また、ＡＣアダプタが装着されている場合（ＡＣアダプタから電力が供給されている場合）、電源判別信号は“１”の状態となる。この信号の状態により、ＣＰＵ３６は、ＡＣアダプタの装着状態を検知することができる。
【００９２】
図１０は、ＣＰＵ３６が実行する処理の一例を説明するフローチャートである。この処理は、電源スイッチ１１がＯＮの状態にされた後、ＣＰＵ３６のタイマー処理により一定周期毎に実行されるようになされている。
【００９３】
電源スイッチ１１がＯＮの状態にされると、ステップＳ１０において、ＣＰＵ３６は、電源判別信号の状態を参照し、ＡＣアダプタが装着されているか否かを判定する。そして、ＡＣアダプタが装着されていない（ＮＯ）と判定した場合は、ステップＳ１１，Ｓ１２の処理をスキップし、処理を終了し（エンド）、また、ＡＣアダプタが装着されている（ＹＥＳ）と判定した場合は、ステップＳ１１に進む。
【００９４】
ステップＳ１１において、ＣＰＵ３６は、フラッシュランプ４２と赤目軽減ランプ４４を使用しない動作モードに移行する。その結果、撮影時のフラッシュランプ４２と赤目軽減ランプ４４の使用が禁止されることになる。そして、ステップＳ１２に進むと、ＣＰＵ３６は、フラッシュランプ４１と赤目軽減ランプ４４が使用できないことを示すメッセージをＬＣＤ６に表示させ、処理を終了する（エンド）。
【００９５】
なお、フラッシュランプ４２と赤目軽減ランプ４４が使用できないモードであって、フラッシュランプ４２の使用が不可欠な状況下でユーザが撮影を行おうとした場合は、例えば、警告音を発生するとともに、ＡＣアダプタ使用中にはフラッシュが使用できないことを示すメッセージ（図１１参照）をＬＣＤ６に表示し、ユーザに注意を促すようにする。
【００９６】
以上の処理によれば、ＡＣアダプタから電力が供給されている場合は、大きな電力を必要とするフラッシュランプ４２と赤目軽減ランプ４４を使用しない動作モードとなるので、電力消費のピークを抑制することが可能となる。従って、最大電力供給能力の小さいＡＣアダプタが使用できるので、ＡＣアダプタを更に小型化することができる。
【００９７】
なお、以上の実施例では、ＡＣアダプタが使用されている場合には、フラッシュランプ４２と赤目軽減ランプ４４を使用しない動作モードになるようにした。しかしながら、ＡＣアダプタとバッテリ２１の双方が装着されている場合、通常の使用状態（フラッシュランプ４２と赤目軽減ランプ４４を使用しない状態）では、ＡＣアダプタから電力を供給し、フラッシュランプ４２と赤目軽減ランプ４４を使用するときのみ、バッテリ２１から電力を供給するようにしてもよい。
【００９８】
図１２は、上述の動作を可能とする構成例を示す回路図である。この実施例において、図８に示す場合と同一の部分には、同一の符号を付してあるので、その説明は適宜省略する。
【００９９】
この実施例では、半導体スイッチ７０がスイッチ６４に対して並列に付加されている。この半導体スイッチ７０は、ＣＰＵ３６によって制御されるようになされている。その他の構成は、図８における場合と同様である。
【０１００】
半導体スイッチ７０は、通常の状態においてはＣＰＵ３６によりＯＦＦの状態とされている。また、スイッチ６４はメカニカルスイッチであり、ＡＣアダプタが装着されている場合は、常にＯＦＦの状態とされている。
【０１０１】
ＡＣアダプタが装着されている場合であって、フラッシュランプ４２や赤目軽減ランプ４４を使用する際には、ＣＰＵ３６は、半導体スイッチ７０に制御信号を送り、ＯＮの状態にする。すると、バッテリ２１のマイナス側が電子カメラ１のグランド側に接続されるため、バッテリ２１から電力の供給が開始される。そして、フラッシュランプ４２や赤目軽減ランプ４４の使用が終了すると、ＣＰＵ３６は、半導体スイッチ７０をＯＦＦの状態とし、バッテリ２１からの電力の供給を停止する。
【０１０２】
このような制御を行うことにより、ＡＣアダプタを使用している際でもフラッシュランプ４２や赤目軽減ランプ４４の使用を可能とすることができる。
【０１０３】
なお、バッテリ２１の電圧がＡＣアダプタの電圧よりも低い場合に、半導体スイッチ７０がＯＮの状態にされると、ＡＣアダプタからバッテリ２１に対して電流が流れることになるが、半導体スイッチ７０がＯＮにされている時間は充分に短いので、大きな問題とはならない。
【０１０４】
以上の実施例においては、ＡＣアダプタの接続状況に応じて、フラッシュランプ４２と赤目軽減ランプ４４とを使用しないようにしたが、本発明は、これのみに限定されるものではないことは言うまでもない。
【０１０５】
なお、本実施例の形態では、小電力を供給する電源としてＡＣアダプタ、大電力を供給する電源としてバッテリの構成を説明したが、その逆の構成でも、バッテリの小型化、長寿命化を実現し、使用できる機能は限定されるが撮影不能になることのない装置を供給できる。
【０１０６】
また、小電力用、大電力用ＡＣアダプタを用意し、その２つのアダプタを判定可能とし、家庭内では大電力用ＡＣアダプタを使用し、旅行時には携帯性に優れた小電力用ＡＣアダプタを使用するように、用途により使い分けるようにしてもよい。
【０１０７】
【発明の効果】
請求項１および請求項７の発明によれば、商用交流電源による電力の供給の際には不要な機能を実行することがないため、不要な電力を消費することがなく、操作者が不要な機能の実行禁止を確認することができる。
【図面の簡単な説明】
【図１】本発明の情報処理装置を適用した電子カメラの構成の一例を示す斜視図である。
【図２】図１に示す電子カメラの面Ｘ１に対向する側から見た場合の斜視図である。
【図３】図１または図２に示す電子カメラの内部の構成を示す斜視図である。
【図４】図１または図２に示す電子カメラの電気的な構成を示すブロック図である。
【図５】Ｌモードにおける画素の間引き処理を説明する図である。
【図６】Ｓモードにおける画素の間引き処理を説明する図である。
【図７】記録された情報を再生する場合の表示画面の表示例である。
【図８】図１または図２に示す電子カメラ１の電源部の構成の一例を示す回路図である。
【図９】図８に示す電源部から得られる電源判別信号の状態と、ＡＣアダプタの装着状態の関係を示す図である。
【図１０】図４に示すＣＰＵ３６で実行される処理の一例を説明するフローチャートである。
【図１１】ＡＣアダプタが使用されている際の警告表示の一例を示す図である。
【図１２】図１または図２に示す電子カメラ１の電源部の構成の他の一例を示す回路図である。
【符号の説明】
４  発光部
６  ＬＣＤ
１１  電源スイッチ
１５  ＡＣアダプタジャック
２１  バッテリ
３６  ＣＰＵ
４１  フラッシュランプ駆動部
４２  フラッシュランプ
４３  赤目軽減ランプ駆動部
４４  赤目軽減ランプ
【図１】
0003758096.tif 000002
【図２】
0003758096.tif 000003
【図３】
0003758096.tif 000004
【図４】
0003758096.tif 000005
【図５】
0003758096.tif 000006
【図６】
0003758096.tif 000007
【図７】
0003758096.tif 000008
【図８】
0003758096.tif 000009
【図９】
0003758096.tif 000010
【図１０】
0003758096.tif 000011
【図１１】
0003758096.tif 000012
【図１２】
0003758096.tif 000013